(57)【要約】【目的】先願発明（特開平１０−３３２１０号）と比べ、雌雄スナップ部材が係合するのはより容易であるが、引き剥がしの強度はより強度であるようなスナップファスナを提供する。【構成】先願発明（特開平１０−３３２１０号）の構成において、係合用突起（１２）に、偏心方向と垂直な方向に伸びる溝（１７）を設ける。好ましくは、前記係合用突起（１２）の根元部分であって前記偏心方向側周囲に貫通空間（１５）を形成すると共に、前記係合用突起（１２）の根元部分であって前記偏心方向と反対側周囲にくぼみ（１８）を形成する。雌雄スナップ部材（１，４）の嵌合時、前記頭部挿入用ガイド（４２）は、貫通空間（１５）とくぼみ（１８）に収容される。【選択図】  図９
2004194862.tif 000002
【特許請求の範囲】
【請求項１】
合成樹脂製の雄スナップ部材（１）と合成樹脂製の雌スナップ部材（４）とからなるスナップファスナにおいて、
前記雄スナップ部材（１）は、雄基体（１１）から突設された係合用突起（１２）を有し、
前記係合用突起（１２）は頸部（１３）と頭部（１４）から構成され、
前記頭部（１４）は前記頸部（１３）の軸中心から偏心させて係合用縁（１６）を形成しており、
前記雌スナップ部材（４）は、前記係合用突起（１２）を挿入する頭部挿入用ガイド（４２）と頭部（１４）が弾性変形して通過する係合用穴（４３）及び通過した頭部（１４）が納まる頭部収容室（４４）を形成した雌基体（４１）を有するスナップファスナにおいて、
前記係合用突起（１２）に少なくとも１本の溝（１７）を設けたことを特徴とする、引き剥がしの方向性を有するスナップファスナ。
【請求項２】
前記係合用縁（１６）側の前記係合用突起（１２）の根元部分周囲に貫通空間（１５）が形成されている請求項１記載のスナップファスナ。
【請求項３】
前記係合用縁（１６）と反対側の前記係合用突起（１２）の根元部分周囲にくぼみ（１８）が形成されている請求項１記載のスナップファスナ。
【請求項４】
雌雄スナップ部材（１，４）の嵌合時、前記頭部挿入用ガイド（４２）が、貫通空間（１５）とくぼみ（１８）に収容される請求項２又は３記載のスナップファスナ。
【発明の詳細な説明】
【０００１】
【発明の属する技術分野】
本発明は引き剥がしの方向性を有するスナップファスナに関する。このようなファスナの雌雄部材をそれぞれ生地に取り付けると、生地同士をある方向からは容易に引き剥がすことができないが、別の方向からは簡単に引き剥がすことができる。このような方向性を有するスナップファスナは衣料、袋物、履き物などさまざまな分野で使用可能である。
【０００２】
【従来の技術】
本出願人自身の先願、特開平１０−３３２１０（特許文献１）の発明は、樹脂成形手段によって、合成樹脂製の雄スナップ部材を任意の間隔で生地テープに成形固定した雄側テープと、合成樹脂製の雌スナップ部材を任意の間隔で生地テープに成形固定した雌側テープとからなるテープ付きスナップファスナである。
【０００３】
生地テープに固定されている雄スナップ部材の係合用突起については、該係合用突起部分を構成する頸部と頭部の内、頸部は雄基体に対して同一中心とするが、頭部は頸部の軸中心から偏心させて係合用縁を形成した構成としている。
【０００４】
一方、生地テープに固定されている雄基体の中心から係合用突起が突設された雌基体に前記係合用突起を挿入する頭部挿入用ガイドと頭部が弾性変形して通過する係合用穴及び通過した頭部が納まる頭部収容室を形成した雌スナップ部材を、頭部挿入ガイドについては、頭部挿入用ガイドと係合用穴とを同一中心で形成し、頭部収容室については、前記雄スナップ部材の頭部の偏心に対応して挿入側中心から偏心した位置に形成し、その底部周囲の少なくとも偏心側に係止段を形成した構成としている。
【０００５】
このスナップファスナは引き剥がし方向により係合強度が異なる。
【０００６】
特許文献１の発明よりもさらに引き剥がしの方向性の強度を高めるため、本出願人自身の別の先願、特開平２００１−８７１１（特許文献２）の発明では、特許文献１の構成に加えて、雌雄スナップ部材嵌合時の隙間を少なくするための手段を設けている。この手段は、例えば、係合用縁の反対側の頸部に設けた小突起又は、雌スナップ部材側に設けた突起である。
【０００７】
【特許文献１】特開平１０−３３２１０号
【特許文献２】特開２００１−８７１１
【０００８】
【発明が解決しようとする課題】
本発明は、上記特許文献１発明の改良に係るもので、雌雄スナップ部材が係合するのはより容易であるが、引き剥がしの強度はより強度であるようなスナップファスナを提供することを目的とする。
【０００９】
【課題を解決するための手段】
本発明の引き剥がしの方向性を有するスナップファスナは、合成樹脂製の雄スナップ部材と合成樹脂製の雌スナップ部材とからなるスナップファスナにおいて、前記雄スナップ部材は、雄基体から突設された係合用突起を有し、前記係合用突起は頸部と頭部から構成され、前記頭部は前記頸部の軸中心から偏心させて係合用縁を形成しており、前記雌スナップ部材は、前記係合用突起を挿入する頭部挿入用ガイドと頭部が弾性変形して通過する係合用穴及び通過した頭部が納まる頭部収容室を形成した雌基体を有するスナップファスナにおいて、前記係合用突起に、少なくとも１本の溝を設けたことを特徴とする。
【００１０】
【発明の実施の態様】
前記溝は、雄側テープの長手方向に垂直な方向に伸びており、通常は１本でよいが、細いものなら２本又はそれ以上設けることも可能である。
【００１１】
好ましくは、前記係合用縁側の前記係合用突起の根元部分周囲に貫通空間を形成すると共に、前記係合用縁と反対側の前記係合用突起の根元部分周囲にくぼみを形成する。雌雄スナップ部材の嵌合時、前記頭部挿入用ガイドは、貫通空間とくぼみに収容される。
【００１２】
【実施例】
以下、添付の図面に基づき本発明の実施例を説明する。
【００１３】
図１は本発明の実施例に係る一対のテープ付きスナップ部材の係合面側から見た部分図で、（ａ）は雄側テープ、（ｂ）は雌側テープである。図２は図１のＡ−Ａ線における雄スナップ部材の拡大断面図である。図３は雄スナップ部材の係合面と反対側から見た拡大図、図４は雄スナップ部材の係合面側から見た拡大図である。図５は図１のＢ−Ｂ線における雌スナップ部材の拡大断面図、図６は雌スナップ部材の係合面と反対側から見た拡大図である。図７は雌スナップ部材の係合面側から見た拡大図である。
【００１４】
図１に示すように、本発明のテープは雄側テープ３と雌側テープ６との一対のテープ付きスナップ部材から構成されている。雄側テープ３は、溶融樹脂射出成形手段によって、ポリアセタール樹脂製の雄スナップ部材１の複数個を所定間隔でナイロン製又は綿製の生地テープ２に成形固定している。雌側テープ６は、前記雄スナップ部材１と同材質の雌スナップ部材４の複数個を前記雄スナップ部材１と同一間隔又は異なる間隔で生地テープ５に成形固定している。なお、一対のテープ付きスナップファスナは長尺物として製作されたものであるが、図１では図示の都合上一部のみを示している。
【００１５】
図２に示すように、雄スナップ部材１は、雄基体１１の中心から係合用突起１２が突設されたものである。雄基体１１の係合側表面は中心から外部に向かって緩い傾斜面１１ａとなっている。係合用突起１２は頸部１３と頭部１４から構成されている。頸部１３は円柱であり、雄基体１１と同一中心である。頭部１４は頸部の軸中心から一方向に偏心して係合用縁１６を形成している。頸部１３と頭部１４を貫いて、雄側テープの長手方向に垂直な方向に深い溝１７が形成されている。 係合用突起１２の裏面側には、リング状の浅い溝１９があるが、これは射出成型時の樹脂注入口の跡である。
【００１６】
係合用縁１６側の頸部１３の根元部分に、引っ掛かりの大きい係合用縁１６を簡単な割金型で形成するための型抜きを許容すると共に、頸部１３の弾性変形を許容する貫通空間１５が半円形に形成されている。この貫通空間１５は係合方向を示す位置決めの目印ともなる。
【００１７】
係合用縁１６と反対側の頸部１３の根元部分には、頸部１３の弾性変形を許容するくぼみ１８が設けられている。
【００１８】
一方、雌スナップ部材４には、図５に示すように、雌基体４１に、前記雄スナップ部材１の係合用突起１２の頭部１４が挿入するのを助ける頭部挿入用ガイド４２と、弾性変形して通過する係合用穴４３と、通過した頭部１４が納まる頭部収容室４４とが形成されている。頭部挿入用ガイド４２は、図７に示すように、直線状に２本平行して設けられ、図５に示すように、断面は半円状である。頭部収容室４４は、係止段４５を有し、雌雄スナップ部材の嵌合時、ここに雄スナップ部材の係合用縁１６が着座する。
【００１９】
なお、係合用突起１２の周辺及び係合用穴４３の周辺に大小の円形７が８個ずつ描かれているが、これらは雌雄スナップ部材の射出成形段階において生地テープ２、５を挟み付けるために成形金型のピンによって形成されたピン孔である。
【００２０】
上記のように構成された雄スナップ部材１と雌スナップ部材４との係合状態及び分離状態は図８、図９に示す通りである。係合状態を、図８に基づき説明すると、雄スナップ部材１の係合用突起１２を、雌スナップ部材４の頭部挿入用ガイド４２から係合用穴４３に押し込み、係合用穴４３と頭部１４に弾性変形を与えながら頭部１４を頭部収容室４４に納める。このことによって、頭部１４の係合用縁１６が係止段４５に係止され、雄スナップ部材１と雌スナップ部材４とは係合される。このとき、２本の頭部挿入用ガイド４２は、それぞれ貫通空間１５とくぼみ１８に収容されて、両者の間の隙間を少なくする（図８参照）。
【００２１】
係合用突起１２の頭部１４が係合用穴４３を通過するとき、頭部の溝１７が狭まる方向に頭部は弾性変形するので、頭部の挿入は容易となる。頭部１４が係合用穴４３を通過し終わった後では、溝１７の幅は元通りに復元するので係合が確実となる。
【００２２】
一方、雄スナップ部材１と雌スナップ部材４との係合を解除する場合について図９に基づいて説明すると、分離方向（矢印方向）の力を生地テープ５に作用させると、係合用突起１２の溝１７の幅が縮まり、係合用穴４３の幅広側の係止段４５と頭部１４の係合用縁１６との係合状態が緩くなると共に、係合用突起１２の根元部分に形成した貫通空間１５によって、係合用突起１２の貫通空間方向への弾性変形スパンが長くなる。したがって、分離方向に作用する力によって係合用突起１２が弾性変形（想像線の状態）し易くなることから、僅かの力を加える分離操作によって簡単に雄スナップ部材１と雌スナップ部材４との係合を外すことができる。
【００２３】
以上説明した本発明の実施例に係るテープ付きスナップファスナの製作するには、雄スナップ部材成形部又は雌スナップ部材成形部を多数形成した上下金型間に、成形部に応じた間隔で成形位置穴を穿設した生地テープを挟み込み、成形部へ溶融樹脂を射出する。
【００２４】
【発明の効果】
本発明のテープ付きスナップファスナによれば、雄スナップ部材１の係合用突起１２を、雌スナップ部材４の頭部挿入用ガイド４２から係合用穴４３に押し込み、該係合用穴４３と頭部１４に弾性変形を与えながら頭部１４を頭部収容室４４に納めることによって、頭部１４の係合用縁１６が係止段４５に係止される。
【００２５】
雌雄スナップ部材を嵌合又は解除するとき、係合用突起１２の頭部１４が係合用穴４３を通過する瞬間、頭部の溝１７が狭まるように頭部は弾性変形するので、頭部の挿入・抜取りが容易となる。頭部１４が係合用穴４３を通過し終わった後では、溝の幅は元通りに復元するので係合が確実となる。また、溝幅の分だけ係合用縁を延長することもできるので、雌雄スナップ部材の嵌合時の嵌合力がさらに高まる。
【図面の簡単な説明】
【図１】本発明の実施例に係る一対のテープ付きスナップ部材の係合面側から見た部分図で、（ａ）は雄側テープ、（ｂ）は雌側テープである。
【図２】図１のＡ−Ａ線における雄スナップ部材の拡大断面図である。
【図３】雄スナップ部材の係合面と反対側から見た拡大図である。
【図４】雄スナップ部材の係合面側から見た拡大図である。
【図５】図１のＢ−Ｂ線における雌スナップ部材の拡大断面図である。
【図６】雌スナップ部材の係合面の反対面側から見た拡大平面図である。
【図７】雌スナップ部材の係合面側から見た拡大底面図である。
【図８】雄スナップ部材と雌スナップ部材との係合状態を示す断面図である。
【図９】雄スナップ部材と雌スナップ部材との分離状態を示す断面図である。
【符号の説明】
１    雄スナップ部材
２    生地テープ
３    雄側テープ
４    雌スナップ部材
５    生地テープ
６    雌側テープ
７    ピン穴
１１  雄基体
１２  係合用突起
１３  頸部
１４  頭部
１５  貫通空間
１６  係合用縁
１７  （深い）溝
１８  くぼみ
４１  雌基体
４２  頭部挿入用ガイド
４３  係合用穴
４４  頭部収容室
４５  係止段
【図１】
2004194862.tif 000003
【図２】
2004194862.tif 000004
【図３】
2004194862.tif 000005
【図４】
2004194862.tif 000006
【図５】
2004194862.tif 000007
【図６】
2004194862.tif 000008
【図７】
2004194862.tif 000009
【図８】
2004194862.tif 000010
【図９】
2004194862.tif 000011